(57)【特許請求の範囲】
【請求項１】
電話機を接続可能であり、省電力状態に移行可能な通信装置であって、
着信を検知する検知手段と、
前記電話機が公衆回線に接続された状態と、前記電話機が前記公衆回線から切り離された状態とを切り替える切替手段と、
前記通信装置のモードを設定する設定手段と、を有し、
着信に基づいて前記電話機が鳴動する鳴動モードが前記設定手段によって設定されている場合、前記通信装置が前記省電力状態に移行する際に前記切替手段は前記電話機の接続状態を前記電話機が前記公衆回線に接続された状態から前記電話機が前記公衆回線から切り離された状態にし、
前記通信装置が前記省電力状態で前記検知手段が着信を検知したことにより前記通信装置は前記省電力状態から復帰し、前記通信装置が前記省電力状態から復帰した後に前記切替手段は前記電話機の接続状態を前記電話機が前記公衆回線に接続された状態にし、
前記鳴動モードが前記設定手段によって設定されていない場合、前記通信装置が前記省電力状態に移行する際に前記切替手段は前記電話機の接続状態を前記電話機が前記公衆回線に接続された状態から前記電話機が前記公衆回線から切り離された状態に切り替えないことを特徴とする通信装置。
【請求項２】
前記通信装置が前記省電力状態で前記検知手段が着信を検知したことにより前記通信装置は前記省電力状態から復帰し、前記通信装置が前記省電力状態から復帰したことに基づいて前記切替手段は前記電話機の接続状態を前記電話機が前記公衆回線から切り離された状態から前記電話機が前記公衆回線に接続された状態に切り替えることを特徴とする請求項１に記載の通信装置。
【請求項３】
前記通信装置がファクシミリ受信を開始するためにユーザが行うべき前記電話機の操作を決めるための設定を受け付ける受付手段を、更に有することを特徴とする請求項１又は２に記載の通信装置。
【請求項４】
前記通信装置がファクシミリ受信モードに切り替わるまでに前記電話機が鳴動する回数の設定を入力する入力手段を、更に有することを特徴とする請求項１乃至３のいずれか１項に記載の通信装置。
【請求項５】
前記切替手段によって前記電話機が前記公衆回線に接続された状態から前記電話機が前記公衆回線から切り離された状態に切り替えられた場合に、前記電話機に電源を供給する供給手段を、更に有することを特徴とする請求項１乃至４のいずれか１項に記載の通信装置。
【請求項６】
前記通信装置はファクシミリ装置であることを特徴とする請求項１乃至５のいずれか１項に記載の通信装置。
【請求項７】
電話機を接続可能であり、省電力状態に移行可能な通信装置を制御する制御方法であって、
着信を検知する検知工程と、
前記電話機が公衆回線とを接続された状態と、前記電話機が前記公衆回線から切り離された状態とを切り替える切替工程と、
前記通信装置のモードを設定する設定工程と、を有し、
着信に基づいて前記電話機が鳴動する鳴動モードが前記設定工程で設定されている場合、前記通信装置が前記省電力状態に移行する際に前記切替工程は前記電話機の接続状態を前記電話機が前記公衆回線に接続された状態から前記電話機が前記公衆回線から切り離された状態にし、
前記通信装置が前記省電力状態で前記検知工程が着信を検知したことにより前記通信装置は前記省電力状態から復帰し、前記通信装置が前記省電力状態から復帰した後に前記切替工程は前記電話機の接続状態を前記電話機が前記公衆回線に接続された状態にし、
前記鳴動モードが前記設定工程で設定されていない場合、前記通信装置が前記省電力状態に移行する際に前記切替工程では前記電話機の接続状態を前記電話機が前記公衆回線に接続された状態から前記電話機が前記公衆回線から切り離された状態に切り替えないことを特徴とする制御方法。
【請求項８】
コンピュータを、請求項１乃至６のいずれか１項に記載の通信装置の各手段として機能させるためのプログラム。
【発明の詳細な説明】
【技術分野】
【０００１】
本発明は、通信装置とその制御方法、及びプログラムに関するものである。
【背景技術】
【０００２】
近年、プリント、コピー等の機能に加えて、ファクシミリ通信機能及び通話機能を有する複合機が広く普及している。従来、ファクシミリ装置は外付けで電話機を接続でき、その電話機に対して電話回線からの通信を接続するか、或いは切り離すかは、ファクシミリ装置の制御部がリレースイッチ回路を制御して行っている。この制御部はファクシミリの受信設定に応じて、電話機を鳴動させてユーザにその電話機の受話器を取らせる必要がある場合はその電話機と電話回線とを接続し、そうでないときは電話機を電話回線からの切り離すように制御している。
【０００３】
一方、省電力に対する要望の広まりを受けて、ファクシミリ装置が使用されない状態では、できるだけ低消費電力の状態（省電力状態）を維持する必要性が高まってきている。この省電力状態では、ファクシミリ装置の制御部への電力供給が停止されているため、電話回線からの着信呼び出し信号を検出すると、それをトリガに制御部は省電力状態から復帰して通信回線へ応答できる状態になる。この際、電話機を鳴動させる設定のままで省電力状態に入ると、ファクシミリ装置の制御部が復帰する前に電話機が鳴動してしまう。これにより、ユーザが、即座に、その電話機の受話器をオフフックして所望の操作を行っても、そのユーザの操作に対する応答ができない可能性がある。このような状況を回避するために、省電力状態で着信したときは、電話機を電話回線から切り離すことで電話機の鳴動を阻止する。そして制御部を省電力状態から通常の状態に復帰させた後、電話機と電話回線とを再び接続して電話機を鳴動させ、ユーザに所望の操作をさせることが特許文献１に記載されている。
【先行技術文献】
【特許文献】
【０００４】
【特許文献１】特開２００６−８０８５１号公報
【発明の概要】
【発明が解決しようとする課題】
【０００５】
しかしながら上記特許文献１に記載の技術では、省電力状態では電話機と電話回線とが接続された状態にあるため、着信直後に電話機が鳴動するのを抑制するのが間に合わず、一瞬だけ鳴動してしまう可能性がある。このとき、もしユーザが、その一瞬の鳴動に即応して、その電話機の受話器をオフフックして所望の操作を行ったとしても、制御部はまだ省電力状態から復帰していないため、そのユーザの操作に応答できなくなる。
【０００６】
本発明の目的は、上記従来技術の課題を解決することにある。
【０００７】
本発明の目的は、着信があった場合に通信装置が省電力状態で電話機が鳴動することを抑止し、通信装置が省電力状態から復帰した後に電話機を鳴動させる技術を提供することにある。
【課題を解決するための手段】
【０００８】
上記目的を達成するために本発明の一態様に係る通信装置は以下のような構成を備える。即ち、
電話機を接続可能であり、省電力状態に移行可能な通信装置であって、
着信を検知する検知手段と、
前記電話機が公衆回線に接続された状態と、前記電話機が前記公衆回線から切り離された状態とを切り替える切替手段と、
前記通信装置のモードを設定する設定手段と、を有し、
着信に基づいて前記電話機が鳴動する鳴動モードが前記設定手段によって設定されている場合、前記通信装置が前記省電力状態に移行する際に前記切替手段は前記電話機の接続状態を前記電話機が前記公衆回線に接続された状態から前記電話機が前記公衆回線から切り離された状態にし、
前記通信装置が前記省電力状態で前記検知手段が着信を検知したことにより前記通信装置は前記省電力状態から復帰し、前記通信装置が前記省電力状態から復帰した後に前記切替手段は前記電話機の接続状態を前記電話機が前記公衆回線に接続された状態にし、
前記鳴動モードが前記設定手段によって設定されていない場合、前記通信装置が前記省電力状態に移行する際に前記切替手段は前記電話機の接続状態を前記電話機が前記公衆回線に接続された状態から前記電話機が前記公衆回線から切り離された状態に切り替えないことを特徴とする。
【発明の効果】
【０００９】
本発明によれば、着信があった場合に通信装置が省電力状態で電話機が鳴動することを抑止し、通信装置が省電力状態から復帰した後に電話機を鳴動させるため、通信装置が省電力状態で電話機が鳴動してユーザが電話機を操作しても応答できない状態になるのを回避できる。
【００１０】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１１】
添付図面は明細書に含まれ、その一部を構成し、本発明の実施形態を示し、その記述と共に本発明の原理を説明するために用いられる。
【図１】本発明の実施形態１に係るファクシミリ通信機能を含む複合機の接続構成例を示す図。
【図２】実施形態１に係る複合機のハードウェア構成を説明するブロック図。
【図３】実施形態１に係る複合機のコントローラ部とファクシミリユニット部の構成を説明するブロック図。
【図４】実施形態１に係る複合機の操作部の表示部に表示される「リモート受信」設定をユーザに設定させる画面例を示す図。
【図５】実施形態１に係る複合機で「リモート受信」が設定がされているときに省電力モードに移行するときの制御部の処理を説明するフローチャート。
【図６】実施形態１に係る複合機の割り込み判定部による処理を説明するフローチャート。
【図７】実施形態１に係る複合機が省電力モードのときに着信があった時の割り込み判定部による処理を説明するフローチャート。
【図８】実施形態１に係る複合機が省電力モードのときに着信があった時の制御部による処理を説明するフローチャート。
【図９】実施形態１に係る複合機で「リモート受信」が設定されて省電力モードで動作中にファクシミリ着信があった際の動作を示すタイミングチャート図。
【図１０】本発明の実施形態２に係る複合機の操作部の表示部に表示される「着信呼出」設定を行う画面例を示す図。
【図１１】実施形態２の課題を説明する図（Ａ）と、実施形態２に係る複合機の動作を説明するタイミング図（Ｂ）。
【図１２】実施形態に係る複合機が通常動作モードのときにファクシミリの着信があったときの動作を説明するタイミング図。
【発明を実施するための形態】
【００１２】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１３】
［実施形態１］
図１は、本発明の実施形態１に係るファクシミリ通信機能を含む複合機の接続構成例を示す図である。
【００１４】
複合機１０１は、ファクシミリ通信機能、コピー機能、ＬＡＮ等のネットワーク接続先から送信された印刷ジョブに基づくプリント機能、及びその他の機能を有する多機能処理装置（ＭＦＰ）である。複合機１０１は電話機１０２を接続可能で、電話回線１０６を介して交換機１０３に接続され、交換機１０３を介して公衆回線網に接続されている。電話機１０２は、この複合機１０１と電話線１０５を介して接続され、複合機１０１は、ファクシミリの送受信機能と電話機による通話機能とを切り換えて実施させることができる。また、複合機１０１は、ケーブル１０７とＬＡＮ回線端子１０４とを介してネットワーク網に接続されている。本実施形態では、通信装置として、多機能処理装置（ＭＦＰ）を例に説明するが、通信装置は、ファクシミリ通信機能のみを備えるファクシミリ装置であってもよい。
【００１５】
図２は、実施形態１に係る複合機１０１のハードウェア構成を説明するブロック図である。
【００１６】
コントローラ部２０１は、この複合機１０１の各部を制御しており、複合機１０１による画像処理、データの送受信、データ変換、データの保存、電力制御等を行う。操作部２０２は、ユーザが各種の操作を行うための操作パネル、及び操作情報を表示するための表示部を備えている。スキャナ部２０３は、原稿の画像をスキャンしてコントローラ部２０１に入力する。またプリンタ部２０４は、コントローラ部２０１で処理された様々な種類の画像データを受け取ってシートに画像を印刷する。ファクシミリユニット部２０５は、電話回線１０６及び電話線１０５を介して、図１に示す交換機１０３、及び、電話機１０２と接続されている。
【００１７】
第一の電源部２０６及び第二の電源部２０７は、電源プラグ２０８から供給される交流の商用電源を、複合機１０１の各部で使用する直流電圧に変換する電源部である。ここで、通常動作モードでは、第一の電源部２０６及び第二の電源部２０７からの電力が、この複合機１０１の各部に供給されている。一方、消費電力を低下させた省電力モードに移行した際は、第二の電源部２０７の電源出力は、コントローラ部２０１から供給される電源制御信号２０９によって停止される。
【００１８】
複合機１０１が省電力モードのときに、外部装置から送信されたジョブを受信すると、コントローラ部２０１は、省電力モードから通常動作モードに移行するために、電源制御信号２０９により第二の電源部２０７による電源出力を開始させる。
【００１９】
尚、図２に示すように、第二の電源部２０７からの電源は、コントローラ部２０１、操作部２０２、スキャナ部２０３、プリンタ部２０４及びファクシミリユニット部２０５に供給されている。また第一の電源部２０６からの電源は、コントローラ部２０１とファクシミリユニット部２０５に供給されている。
【００２０】
図３は、実施形態１に係る複合機１０１のコントローラ部２０１とファクシミリユニット部２０５の構成を説明するブロック図である。
【００２１】
コントローラ部２０１の制御部３０１は、内部に制御用のＣＰＵ３３３及びメモリ３３４を有し、コピー、プリント、ファクシミリ等の各種処理モードに従って、それぞれ対象となるユニットに応じたデータのやり取りを制御する。ＣＰＵ３３３は、メモリ３３４に記憶されたプログラムを実行して、後述する各種制御を行う。尚、ここでメモリ３３４は、プログラムを不揮発に記憶するメモリと、ＣＰＵ３３３のワークメモリを提供するＲＡＭとを総称して示している。スキャナＩ／Ｆ３０２、プリンタＩ／Ｆ３０３はそれぞれ、スキャナ部２０３とプリンタ部２０４を制御部３０１に接続するためのインターフェース（Ｉ／Ｆ）である。ＬＡＮコントローラ部３０４は、ケーブル１０７を介してＬＡＮ回線端子１０４に接続され、ネットワークを介して外部装置と通信する。
【００２２】
着信割り込み信号３０６は、ファクシミリユニット部２０５の着信信号検出部３１３から出力され、着信信号検出部３１３が、電話回線１０６を介してファクシミリや電話を着信することにより出力される。オフフック割り込み信号３０７は、ファクシミリユニット部２０５のオフフック検出部３１６から出力される。オフフック検出部３１６が、電話線１０５を介して接続されている電話機１０２の受話器が持ち上げられた（オフフックされた）ことを検出するとハイレベルとなる。モード設定格納部３０８は、複合機１０１のファクシミリ受信モードの設定を格納している。ユーザが操作部２０２を介してファクシミリ受信モードを設定すると、制御部３０１がその設定されたファクシミリ受信モードを、このモード設定格納部３０８に格納する。状態通知信号３０９は制御部３０１により出力され、制御部３０１がモデム３０５を制御してファクシミリの送受信ができる通常動作モード状態に復帰したことを通知する信号である。この状態通知信号３０９がハイレベルであれば通常動作モードの状態、状態通知信号がロウレベルであれば、制御部３０１が省電力モード、或いは省電力モードから復帰中であることを示している。割り込み判定部３１０は、着信割り込み信号３０６或いはオフフック割り込み信号３０７が入力されると、状態通知信号３０９がロウレベル（省電力モード）であれば電源制御信号２０９を出力して、第二の電源部２０７の電源出力をオンさせる。また状態通知信号３０９がロウレベルでモード設定格納部３０８に電話機１０２を使用する設定がされていても、第２のＨ−ｒｅｌａｙ（以下、第２リレー）制御信号３１１によりＨ−ｒｅｌａｙ３１４を制御して電話機１０２を交換機１０３から切り離す。割り込み通知信号３１８は、割り込み判定部３１０が着信割り込み信号３０６或いはオフフック割り込み信号３０７を受付けると、ハイレベルにして制御部３０１に通知する信号である。
【００２３】
次にファクシミリユニット部２０５の構成を説明する。
【００２４】
Ｈ−ｒｅｌａｙ（リレー）３１４は、電話機１０２と交換機１０３とを電気的に接続するか切り離すかを選択的に制御可能なリレースイッチ回路である。尚、このリレー３１４は、スイッチ３２０がオン状態のときは電話機１０２と交換機１０３を電気的に切り離し、スイッチ３２０がオフ状態のときに電話機１０２と交換機１０３と接続する。ここで、電話機１０２を交換機１０３から切り離すと電話機１０２へ電源が供給されないため、電話機１０２の受話器をオフフックしてもオフフック検出部３１６へ信号を出力できない。このためオフフック検出部３１６は、電話機１０２と交換機１０３を電気的に切り離した状態では、電話機１０２のオフフックを検出できないことになる。そのため、電話機１０２が交換機１０３から切り離されているときは、電話電源供給部３１５から電話機１０２に電源を供給してオフフックが検出できるようにしている。一方、リレー３１４により電話機１０２と交換機１０３とが接続されている場合は、交換機１０３から電話機１０２に電源が供給される。ＯＲ回路３１７は、リレー３１４を制御部３０１からの制御信号３１２により制御するか、割り込み判定部３１０からの制御信号３１１により制御するかを選択する。尚、図３は、スイッチ３２０がオフ状態で、電話機１０２と交換機１０３とが接続されている状態を示している。
【００２５】
これにより、通常動作モードでは、制御部３０１が第１のＨ−ｒｅｌａｙ（以下、第１リレー）制御信号３１２を制御することでリレー３１４を制御し、省電力モードでは、第２リレー制御信号３１１でリレー３１４を制御する。ＯＲ回路３１７は、同様の動きをするのであれば、本実施形態１の回路に限定されるものではない。
【００２６】
尚、この実施形態１では、少なくとも制御部３０１の電源は第二の電源部２０７から供給され、省電力モードでは、制御部３０１は、電源断もしくは復帰トリガを受信できるように、ごく一部のみが通電された状態となる。
【００２７】
以降、本発明の実施形態では、ファクシミリ受信設定のうち、「リモート受信」設定を行った場合を例に動作を説明する。ここで「リモート受信」設定とは、電話機１０２が鳴動した際に、ユーザが電話機１０２の受話器を持ち上げて音声を聞き、電話の着信であればそのままユーザは通話できる。一方、ファクシミリからの受信であれば、ユーザは、予め設定した電話機１０２のプッシュ操作を行うことにより、ファクシミリ受信に移行できるような設定である。
【００２８】
図４は、実施形態１に係る複合機１０１の操作部２０２の表示部に表示される「リモート受信」設定をユーザに設定させる画面例を示す図である。
【００２９】
「リモート受信」を設定する際は、ユーザは、この画面で「オン」ボタン４０１を押下し、「リモート受信」を設定しない場合には「オフ」ボタン４０２を押下する。その後、設定完了であれば、ユーザは「ＯＫ」ボタン４０５を押下すると、この画面が閉じられて、この画面で入力された事項が設定される。一方、ユーザは、この画面での設定をキャンセルして設定をやり直したいときは「キャンセル」ボタン４０６を押下する。設定値４０３は、着信があった時、ユーザが電話機１０２の受話器を持ち上げて複合機１０１によりファクシミリ受信動作を開始させる動作を規定するもので、ここではダイヤル番号の操作を指定している。この設定値４０３は、ユーザが、その右側の＋ボタン或いは−ボタンを押下することに増減させることができる。図４の設定例では、設定４０３として「２５」が設定されている。この場合、ユーザは、電話機１０２の受話器を持ち上げてファクシミリの着信を確認した後、その電話機１０２の数値キー「２」と「５」を順に押下することにより、ファクシミリ受信を開始させることができる。
【００３０】
「リモート受信」設定がオンの場合のように、電話機１０２への電話着信を優先するモードでは、通常動作モードで、電話機１０２を交換機１０３に電気的に接続するようにリレー３１４を制御した状態で待機する。このように電話機１０２と交換機１０３とを電気的に接続した状態で待機することを「鳴動待機」と呼び、電話機１０２と交換機１０３とを切り離した状態で待機することを「無鳴動待機」と呼ぶ。
【００３１】
次に、通常動作モード（状態通知信号３０９がハイレベル）のときにファクシミリ着信があった際の動作を図１２のタイミングチャートを参照して説明する。
【００３２】
図１２は、実施形態に係る複合機１０１が通常動作モードのときにファクシミリの着信があったときの動作を説明するタイミング図である。
【００３３】
通常動作モードでは、第二の電源部２０７からコントローラ部２０１及びファクシミリユニット部２０５の全ての部分に電源が供給されている。
【００３４】
この状態でファクシミリ着信があると、着信割り込み信号３０６がオンされると共に電話機１０２にも着信信号が供給される。これにより、電話機１０２は着信信号のオン時に鳴動する。この鳴動をユーザが感知して電話機１０２の受話器を持ち上げるとオフフック割り込み信号３０７がハイレベルになる。ここで「リモート受信」が設定されていると、割り込み通知信号３１８は、このオフフック割り込み信号３０７に基づいてハイレベルになる。制御部３０１は、この割り込み通知信号３１８がハイレベルになると、受信コマンド待ちで待機する。そしてユーザが電話機１０２で、図４の画面で設定したファクシミリ受信の開始を指示する操作（前述の例では数値キー「２」「５」を入力）を行うと、制御部３０１に対して受信コマンドが通知される。制御部３０１は、この受信コマンドを受付けるとモデム３０５を制御して電話回線を捕捉し、第１リレー制御信号３１２をハイレベルにしてリレー３１４のスイッチ３２０をオン状態にし、電話機１０２を交換機１０３から電気的に切り離す。これにより複合機１０１は、ファクシミリ受信を開始することができる。
【００３５】
図５は、実施形態１に係る複合機１０１で「リモート受信」が設定がされているときに省電力モードに移行するときの制御部３０１の処理を説明するフローチャートである。尚、この処理を実行するプログラムはメモリ３３４に記憶されており、ＣＰＵ３３３がそのプログラムを実行することにより、このフローチャートで示す処理が実現される。
【００３６】
まずＳ５０１でＣＰＵ３３３は、所定時間以上、複合機１０１へのアクセスやジョブなどの処理が発生していないかどうか判定し、そうであればＳ５０２に進みＣＰＵ３３３は、消費電力を低下させる省電力モードに移行する処理を行う。ここでＣＰＵ３３３は、ソフトウェアや各種データを不揮発メモリや省電力モードでもバックアップされているメモリ領域へ退避させる。次にＳ５０３に進みＣＰＵ３３３は、状態通知信号３０９をロウレベルにして、割り込み判定部３１０に制御部３０１が省電力モードに移行することを通知する。次にＳ５０４に進みＣＰＵ３３３は、第１リレー制御信号３１２をロウレベルにして、第２リレー制御信号３１１によりリレー３１４を制御できるようにしてＳ５０５に進む。Ｓ５０５でＣＰＵ３３３は、省電力モードへの移行を完了して、この処理を終了する。
【００３７】
次に図６のフローチャートを参照して割り込み判定部３１０による処理を説明する。
【００３８】
図６は、実施形態１に係る複合機１０１の割り込み判定部３１０による処理を説明するフローチャートである。
【００３９】
まずＳ６０１で、制御部３０１からの状態通知信号３０９がロウレベルに変化して制御部３０１が省電力モードに遷移したかどうかを判定する。制御部３０１が省電力モードに遷移するとＳ６０２に進み、モード設定格納部３０８に電話機１０２が使用されるモードのフラグがオンされているかどうかを判定する。ここで、電話機１０２を使用するモードのいずれかひとつがオンされている場合はＳ６０３に進み、電話機１０２を使用するモードがオンされていない場合はＳ６０５に処理を進める。Ｓ６０３で割り込み判定部３１０は、第２リレー制御信号３１１をハイレベルにして「無鳴動待機」状態に設定してＳ６０４に遷移する。一方、Ｓ６０５で割り込み判定部３１０は、第２リレー制御信号３１１をロウレベルにして「鳴動待機」状態に設定してＳ６０４に遷移する。尚、「リモート受信」が設定されている場合は、通常動作モードでは「鳴動待機」状態である。そしてＳ６０４で割り込み判定部３１０は、電源制御信号２０９により第二の電源部２０７の電源出力をオフして省電力モードに遷移させて、この処理を終了する。
【００４０】
このように実施形態１によれば、省電力モードでは、例え電話機を使用するモードが設定されていても、電話機と電話回線とを切り離した状態にする。これにより、省電力状態で着信があった時に電話機が鳴動するのを防止している。
【００４１】
次に図７及び図８のフローチャートを参照して、実施形態１に係る複合機１０１が省電力モードのときに着信があった時の処理を説明する。
【００４２】
図７は、実施形態１に係る複合機１０１が省電力モードのときに着信があった時の割り込み判定部３１０による処理を説明するフローチャートである。
【００４３】
先ずＳ７０１で、ファクシミリユニット部２０５の着信信号検出部３１３から出力され着信割り込み信号３０６がオンされたかどうかを判定する。ここで着信割り込み信号３０６がオンされたと判定するとＳ７０２に遷移し、割り込み判定部３１０は、電源制御信号２０９により第二の電源部２０７の電源出力をオンさせて、制御部３０１を省電力モードから通常動作モードに復帰させる。次にＳ７０３に進み割り込み判定部３１０は、制御部３０１から出力される状態通知信号３０９がハイレベルになるのを待つ。即ち、制御部３０１が、省電力モードから通常動作モードに復帰するのを待ってＳ７０４に進む。Ｓ７０４で割り込み判定部３１０は、第２リレー制御信号３１１をロウレベルにして、リレー３１４の制御を制御部３０１からの第１リレー制御信号３１２により行うことができるようにして、この処理を終了する。
【００４４】
図８は、実施形態１に係る複合機１０１が省電力モードのときに着信があった時の制御部３０１による処理を説明するフローチャートである。尚、この処理を実行するプログラムはメモリ３３４に記憶されており、ＣＰＵ３３３がそのプログラムを実行することにより、このフローチャートで示す処理が実現される。
【００４５】
図７のＳ７０２で第二の電源部２０７からの電源出力がオンされると制御部３０１に電源が供給される。これによりＳ８０１でＣＰＵ３３３は、省電力モードからの復帰が完了したと判定してＳ８０２に進む。Ｓ８０２でＣＰＵ３３３は、状態通知信号３０９をハイレベルにして割り込み判定部３１０に通常状態に復帰したことを通知する。これにより、前述の図７のＳ７０３で割り込み判定部３１０は、制御部３０１が、省電力モードから通常動作モードに復帰したことを検知する。次にＳ８０３に進みＣＰＵ３３３は、モード設定格納部３０８に格納されているモードが、受信時の待機状態が電話機１０２を鳴動させないモードに設定されているかどうかを判定する。ここで電話機１０２を鳴動させないモードが設定されていると判定するとＳ８０４に進みＣＰＵ３３３は、第１リレー制御信号３１２をハイレベルにしてリレー３１４を「無鳴動待機」（スイッチ３２０がオン）に制御する。一方、Ｓ８０３で電話機１０２を鳴動させないモードがオフであると判定するとＳ８０５に進みＣＰＵ３３３は、第１リレー制御信号３１２をロウレベルにして、リレー３１４を「鳴動待機」（スイッチ３２０がオフ）に制御する。
【００４６】
例えば、ファクシミリ受信設定の中で「リモート受信設定」は、通常動作モードで「鳴動待機」であり、「ＦＡＸ／ＴＥＬ自動切り替え」の設定がオンされていれば「無鳴動待機」に設定される。ここで、「ＦＡＸ／ＴＥＬ自動切り替え」とは、着信割り込み信号３０６を検知すると、制御部３０１がモデム３０５を制御し、その着信がファクシミリ受信か、電話であるかを判定して処理を選択するモードである。ファクシミリ受信であれば、リレー３１４を「無鳴動待機」に設定したままでファクシミリ信号の受信を開始し、電話の着信であった場合にはリレー３１４を「鳴動待機」に切り替えて電話機１０２を鳴動させてユーザに通知する。
【００４７】
図９は、実施形態１に係る複合機１０１で「リモート受信」が設定されて省電力モードで動作中にファクシミリ着信があった際の動作を示すタイミングチャート図である。
【００４８】
省電力モードでの動作時では、第二の電源部２０７からの電源供給が停止しているため少なくとも制御部３０１の電源がオフ、もしくは、省電力モードでファクシミリ制御が不可能な状態にある。また第２リレー制御信号３１１がハイレベル状態で「無鳴動待機」状態になっている。
【００４９】
この状態で、タイミングＴ１で着信割り込み信号３０６がオンされると、割り込み判定部３１０が電源制御信号２０９を制御して第二の電源部２０７の電源出力をオンする。これにより制御部３０１に電源が供給され、Ｔ２で状態通知信号３０９がハイレベルになる。これにより割り込み判定部３１０は、制御部３０１が省電力モードから通常動作モードに復帰したことを検知し、第２リレー制御信号３１１をロウレベルにして、電話機１０２と交換機１０３とを接続して通常状態に移行する。これにより複合機１０１は電話機１０２を鳴動させることができる状態になり、次に着信がオンになるタイミングＴ３で、電話機１０２はユーザに対して１回目の鳴動を行う。これによりユーザが、Ｔ４で電話機１０２の受話器をオフフックするとオフフック割り込み信号３０７がハイレベルになる。そしてユーザは、前述したように、電話機１０２で、図４の画面で設定したファクシミリ受信の開始を指示する操作（前述の例では数値キー「２」「５」を入力）を行う。これにより制御部３０１に対して受信コマンドが通知される。制御部３０１は、この受信コマンドを受付けるとモデム３０５を制御して電話回線を捕捉し、Ｔ５で、第１リレー制御信号３１２をハイレベルにしてリレー３１４のスイッチ３２０をオン状態にし、電話機１０２を交換機１０３から電気的に切り離す。これにより複合機１０１は、ファクシミリ受信を開始することができる。
【００５０】
実施形態１では、ファクシミリ機能の制御部３０１が省電力モードであっても、省電力モードで動作可能な割込み判定部３１０が電話機と電話回線との接続を制御して、着信割り込み時の電話機の鳴動を回避できる。また省電力モードで「無鳴動待機」の間にファクシミリ機能の制御部３０１が確実に通常動作モードに復帰した後、リレーの制御を制御部３０１による制御に切り替えることができる。
【００５１】
実施形態１によれば、省電力モードのときにファクシミリ信号を着信したとき、制御部が通常動作モードに復帰してから電話機を鳴動させることができる。これにより、省電力モードから復帰していない状態で電話機が鳴動し、ユーザが、その一瞬の鳴動に即応して、その電話機の受話器をオフフックして操作しても、省電力状態から復帰していないためにその操作に応答できないといった事態を防止できる。
【００５２】
［実施形態２］
実施形態２では、ファクシミリの受信モード設定の中で通常動作モードの際に「鳴動待機」状態となる「着信呼出設定」の場合を説明する。ここで、複合機１０１の接続構成、内部構成、内部詳細図に関しては、前述の実施形態１の図１〜図３と共通であるため、その説明を省略する。
【００５３】
図１０は、本発明の実施形態２に係る複合機１０１の操作部２０２の表示部に表示される「着信呼出」設定を行う画面例を示す図である。
【００５４】
ここでファクシミリの着信呼出設定とは、交換機１０３を介して公衆回線網から着信があった際に電話機１０２を鳴動させてユーザに通知する設定である。着信呼出設定する場合には「オン」ボタン１００１を押下し、設定しない場合には「オフ」ボタン１００２を押下する。設定がＯＫであれば「ＯＫ」ボタン１００６を押下し、設定をやり直す場合には「キャンセル」ボタン１００５を押下する。また、呼出し回数１００３は、着信時に電話機１０２の受話器が取られるまでの呼び出し回数を予め規定する値である。この呼び出し回数１００３は、＋ボタン及び−ボタンにより、その値を増減できる。実施形態２の設定例では、５回が設定されており、着信時に５回鳴動するまでに受話器が取られなければ自動的にファクシミリ受信モードに切り替えて動作する。
【００５５】
しかしながら、この鳴動回数のカウントは、ファクシミリ機能の制御部（実施形態２においては制御部３０１）で行っており、省電力モード時には制御部３０１からの制御ができない。そのため、着信時に電源復帰してモデム３０５の制御が可能になるまでの間は、鳴動カウントが正確にできず、着信直後の鳴動を取りこぼし、設定値よりも多く鳴動してしまう場合がある。
【００５６】
前述の実施形態１では、制御部３０１が復帰してから状態通知信号３０９をハイレベルにして割り込み判定部３１０に通知してから第２リレー制御信号３１１をロウレベルにして鳴動側に接続させている。このため、１回目の鳴動状態がユーザにとって不自然に聞こえてしまう可能性がある。
【００５７】
図１１（Ａ）は、上述の状態を説明するタイミング図である。
【００５８】
図１１（Ａ）では、着信信号検出部３１３が、Ｔ１で１回目の着信を検出すると着信割り込み信号３０６がオンになり、割込み判定部３１０が第二の電源部２０７の電源出力をオンにして制御部３０１から状態通知信号３０９がハイレベルになる（Ｔ２）。これにより割込み判定部３１０は、第２リレー制御信号３１１をロウレベルにする。これによりリレー３１４のスイッチ３２０がオフされて電話回線と電話機１０２とが接続される。このため、Ｔ２での１回目の鳴動が、通常の鳴動よりも短く聞こえる。
【００５９】
そこで図１１（Ｂ）に示すように、制御部３０１は、着信割り込み信号３０６により通常動作モードに復帰した後、モデム３０５を制御して、着信信号がオフになるタイミングＴ３（鳴動していない状態）まで待ってから状態通知信号３０９をハイレベルにする。これにより割込み判定部３１０は、第２リレー制御信号３１１をロウレベルにする。
【００６０】
このように実施形態２によれば、図１１（Ｂ）に示すように、制御部３０１は着信割り込み信号からの復帰後に、着信信号がオフのタイミング（鳴動していない状態）まで待ってから状態通知信号３０９をオンにして通常動作モードに移行したことを伝える。これにより割込み判定部３１０は、電話機を鳴動させる信号が出力されている状態で電話回線と電話機１０２とを接続させることがないため、図１１（Ａ）に示すような「チン」鳴りを防止できる。これにより、ユーザに対して、電話機１０２の１回目の鳴動が自然に聞こえるようにすることができる。
【００６１】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００６２】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【００６３】
３０１…制御部、３０５…モデム、３０６…着信割り込み信号、３０７…オフフック割り込み信号、３０８…モード設定格納部、３０９…状態通知信号、３１０…割り込み判定部、３１１…第二のリレー制御信号、３１２…第１リレー制御信号、３１３…着信信号検出部、３１４…リレー、３１５…電話電源供給部、３１６…オフフック検出部、３１７…ＯＲ回路、３１８…割り込み通知信号
【図１】
0006730789.tif 000002
【図２】
0006730789.tif 000003
【図３】
0006730789.tif 000004
【図４】
0006730789.tif 000005
【図５】
0006730789.tif 000006
【図６】
0006730789.tif 000007
【図７】
0006730789.tif 000008
【図８】
0006730789.tif 000009
【図９】
0006730789.tif 000010
【図１０】
0006730789.tif 000011
【図１１】
0006730789.tif 000012
【図１２】
0006730789.tif 000013